(57)【要約】      （修正有）【課題】単管足場に先行手摺として利用できるとともに、手摺を積み重ねて保管しても他の手摺と干渉せず収納性に優れた手摺を提供する。【解決手段】並列に並べて設けられた複数の縦支柱１１，１１と、隣り合う縦支柱１１，１１間に架け渡された横架材１２とを備える単管足場１０に取り付けられる手摺において、互いに対向するように配置された一対の縦材２，２と、一対の縦材２，２の上部間に架け渡されるとともに軸方向に伸縮可能な横材３とを有する手摺フレーム１と、一対の縦材２，２の下部にそれぞれ設けられ横架材１２に手摺フレーム１を取付可能なフック４とを備え、フック４が縦材２に対して周方向に回動可能に取り付けられている。【選択図】図１
0003209688.tif 000002
【実用新案登録請求の範囲】
【請求項１】
並列に並べて設けられた複数の縦支柱と、隣り合う前記縦支柱間に架け渡された横架材とを備える単管足場に取り付けられる手摺において、
互いに対向するように配置された一対の縦材と、前記一対の縦材の上部間に架け渡されるとともに軸方向に伸縮可能な横材とを有する手摺フレームと、
前記一対の縦材の下部にそれぞれ設けられ前記横架材に前記手摺フレームを取付可能なフックとを備え、
前記フックが前記縦材に対して周方向に回動可能に取り付けられている
ことを特徴とする手摺。
【請求項２】
前記フックは、前記縦材に対して周方向に回動自在に設けられた筒部と、前記筒部の外周に設けられたカギ状の取付部とを備え、
前記筒部の回動を阻止可能なロック機構を設けた
ことを特徴とする請求項１に記載の手摺。
【請求項３】
前記ロック機構が、前記縦材に開穿された挿入孔と、前記挿入孔と対向可能に開穿されたピン孔と、前記ピン孔と前記挿入孔が対向した状態で挿通されることで前記筒部の回動を阻止するロックピンとを備え、
前記ロックピンは、前記挿入孔が開穿されている位置から軸方向に離間した位置で前記縦材を前記手摺フレームの幅方向に貫通して前記縦材に対してスライド自在な軸部と、前記軸部の先端側に設けられ前記ピン孔と前記挿入孔に挿通可能な挿通部と、前記軸部の基端側に設けられたフランジ部とを有し、
前記フランジ部と前記縦材との間に前記フランジ部を反縦材方向に附勢する附勢ばねが介装される
ことを特徴とする請求項１または２に記載の手摺。
【請求項４】
前記ピン孔は、前記筒部の周方向に９０度の間隔で２つ並べて開穿されている
ことを特徴とする請求項３に記載の手摺。
【請求項５】
前記フランジ部が、前記ロックピンの他端部に形成された螺子溝に装着されたナットで形成される
ことを特徴とする請求項３または４に記載の手摺。
【請求項６】
前記縦材に上下一対のストッパを設け、前記ストッパ間に前記筒部を配置する
ことを特徴とする請求項２から５のいずれか一項に記載の手摺。
【請求項７】
前記一対の縦材の下端にそれぞれ取り付けられ、前記手摺フレームを前記縦支柱に楔を介して連結可能な第一連結部材と第二連結部材を備え、
前記第一連結部材と前記第二連結部材は、前記縦支柱の挿入を許容する凹部を有し、
前記第一連結部材または前記第二連結部材のいずれか一方の凹部の開口は前記手摺フレームの幅方向に向くように形成され、
前記第一連結部材または前記第二連結部材のいずれか他方の凹部の開口は前記手摺フレームの奥行方向に向くように形成される
ことを特徴とする請求項１から６のいずれか一項に記載の手摺。
【請求項８】
前記一対の縦材の下部間に架け渡されるとともに、矩形であって長手方向に伸縮可能な巾木と、
前記縦材の中部側間に架け渡されるとともに、軸方向に伸縮可能な中桟と、
前記中桟と前記縦材の一方側の下端を接続する補強フレームとを備え、
前記補強フレームが、前記巾木を支持する支持部材を有する
ことを特徴とする請求項１から７のいずれか一項に記載の手摺。
【考案の詳細な説明】
【技術分野】
【０００１】
この発明は、手摺に関する。
【背景技術】
【０００２】
一般に、建設作業現場等で使用される仮設足場としては、各部寸法が規定された枠状の建枠を組み上げて形成される枠組足場と、任意の長さの単管を縦横に連結して形成される単管足場がある。
【０００３】
そして、このような仮設足場には、作業者が落下するのを防止するために手摺が設けられている。
【０００４】
ところが、単管足場は、任意の長さの単管を作業現場のスペースに合わせて組み上げられるため、並列に並べて設けられた複数の単管からなる縦支柱間の距離が一定ではない。そのため、単管足場の場合、縦支柱間の距離に合う幅方向長さの手摺を用意する必要がある。
【０００５】
これに対し、特許文献１の足場手摺構造では、手摺の幅方向の長さを伸縮できるようにすることで、縦支柱同士の距離が一定でない単管足場においても１つの手摺で対応できるようにしている。
【先行技術文献】
【特許文献】
【０００６】
【特許文献１】実用新案登録第３１９４７７７号
【特許文献２】特開２０１５−１５１７７２号
【考案の概要】
【考案が解決しようとする課題】
【０００７】
このような手摺は、仮設足場を組み上げる際に下層の仮設足場から上層の仮設足場に手摺を先行して取り付けて、仮設足場の最上層に常に手摺があるようにすることで作業者の安全性を確保できる、いわゆる先行手摺とされるのが好ましい。しかしながら、特許文献１の手摺は、手摺を縦支柱と連結する連結金具が手摺の上部に設けられているため、下層の仮設足場からでは取り付けできず、先行手摺として利用できない。
【０００８】
そこで、特許文献１の手摺を先行手摺とするために、連結金具を手摺の下部に設けることが考えられるが、このように連結金具を手摺の下部に設けた場合には、手摺に仮設足場に引っ掛け可能なフックを設けて、手摺に作業者がもたれかかったとき等に作用する荷重を連結金具とフックとで分散して受けられるようにすることが一般的である（例えば、特許文献２参照）。
【０００９】
ところが、単管足場に利用される場合には、隣り合う縦支柱間に架け渡された横架材に対して上記フックを引っ掛けることになるため、上記フックは、手摺の幅方向に対して直交する方向に突出するように設けられることになる。したがって、このような手摺を積み重ねて保管しようとすると、フックが他の手摺に干渉してしまう問題がある。
【００１０】
そこで、本考案では、単管足場に先行手摺として利用できるとともに、手摺を積み重ねて保管しても他の手摺と干渉せず収納性に優れた手摺の提供を目的とする。
【課題を解決するための手段】
【００１１】
前記課題を解決するための手段は、並列に並べて設けられた複数の縦支柱と、隣り合う前記縦支柱間に架け渡された横架材とを備える単管足場に取り付けられる手摺において、互いに対向するように配置された一対の縦材と、前記一対の縦材の上部間に架け渡されるとともに軸方向に伸縮可能な横材とを有する手摺フレームと、前記一対の縦材の下部にそれぞれ設けられ前記横架材に前記手摺フレームを取付可能なフックとを備え、前記フックが前記縦材に対して周方向に回動可能に取り付けられていることを特徴とする。
【００１２】
また、前記フックが、前記縦材に対して周方向に回動自在に設けられた筒部と、前記筒部の外周に固定されたカギ状の取付部とを備え、前記筒部の回動を阻止可能なロック機構を設けた手摺としてもよい。この構成によると、取付部の向きを任意の向きで固定できるため、手摺フレームを単管足場に取り付ける際にフックが揺動しない。
【００１３】
また、前記ロック機構が、前記縦材に開穿された挿入孔と前記筒部に開穿されたピン孔が対向した状態で挿通されることで前記筒部の回動を阻止するロックピンを備え、前記ロックピンは、前記挿入孔が開穿されている位置から軸方向に離間した位置で前記縦材を前記手摺フレームの幅方向に貫通して前記縦材に対してスライド自在な軸部と、前記軸部の先端側に設けられ前記ピン孔と前記挿入孔に挿通可能な挿通部と、前記軸部の基端側に設けられたフランジ部とを有し、前記フランジ部と前記縦材との間に前記フランジ部を反縦材方向に附勢する附勢ばねが介装されるとしてもよい。この構成によると、ロックピンがピン孔と挿入孔に挿通されて、筒部の回動がロックされている間は、附勢ばねによってロックピンの抜け止めがされる。そして、フックを回転させて取付部の向きを変える場合には、ロックピンを附勢ばねに抗して押し込めば容易にロックを解除できる。加えて、ロックピンが縦材を手摺フレームの幅方向に貫通しているため、手摺フレームを重ねたときに、他の手摺にロックピンが干渉しない。
【００１４】
また、前記ピン孔は、前記筒部の周方向に９０度の間隔で２つ並べて開穿されているとしてもよい。この構成によると、縦材に開穿されている挿入孔と対向するピン孔を切り換えるだけで、取付部の向きを取付位置と収納位置との間で容易に切り換えできる。
【００１５】
また、前記フランジ部が、前記ロックピンの他端部に形成された螺子溝に装着されたナットで形成されるとしてもよい。この構成によると、ナットのロックピンへの取付位置を調整することで、附勢ばねの附勢力を調整できる。
【００１６】
また、前記縦材に上下一対のストッパを設け、前記ストッパ間に前記筒部を配置するとしてもよい。この構成によると、筒部が縦材に対して上下に移動することを阻止するとともに筒部の回動をガイドできる。
【００１７】
また、前記一対の縦材の下端にそれぞれ取り付けられ、前記手摺フレームを前記縦支柱に楔を介して連結可能な第一連結部材と第二連結部材を備え、前記第一連結部材と前記第二連結部材は、前記縦支柱の挿入を許容する凹部を有し、前記第一連結部材または前記第二連結部材のいずれか一方の凹部の開口は前記手摺フレームの幅方向に向くように形成され、前記第一連結部材または前記第二連結部材のいずれか他方の凹部の開口は前記手摺フレームの奥行方向に向くように形成されるとしてもよい。この構成によると、第一連結部材と第二連結部材の凹部の開口がいずれも手摺フレームの幅方向あるいは手摺フレームの奥行方向に向いている場合に比べて、取付作業の手間が少なく、作業時間を短縮できる。
【００１８】
また、前記一対の縦材の下部間に架け渡されるとともに、矩形であって長手方向に伸縮可能な巾木と、前記縦材の中部側間に架け渡されるとともに、軸方向に伸縮可能な中桟と、前記中桟と前記縦材の一方側の下端を接続する補強フレームとを備え、前記補強フレームが、前記巾木を支持する支持部材を有するとしてもよい。この構成によると、長手方向に伸縮可能な巾木を構成する外側巾木と内側巾木の先端側を、補強フレームに取り付けられた支持金具を介して支持できるため、巾木がふらつかない。
【考案の効果】
【００１９】
本考案によれば、幅方向の長さを変更できる単管足場用の先行手摺として利用できる上、フックが縦材の周方向に対して回動自在になっているため、手摺を保管する際にフックの向きを横にすれば、手摺を積み重ねて収納してもフックが邪魔にならずに収納性に優れる。
【図面の簡単な説明】
【００２０】
【図１】本実施の形態に係る手摺の使用状態を示す斜視図である。
【図２】本実施の形態に係る手摺の正面図である。
【図３】図２のＡ−Ａ断面図である。
【図４】フックを拡大して示す図であって、（Ａ）はフックの側面図であり、（Ｂ）はフックの一部を切り欠いた正面図であってフックの回動がロックされた状態を示し、（Ｃ）はフックの一部を切り欠いた正面図であってフックのロックが解除された状態を示す。
【図５】第一連結部材を拡大して示す平面図である。
【図６】第二連結部材を拡大して示す平面図である。
【考案を実施するための形態】
【００２１】
以下に、図面を参照しながら本実施の形態について説明する。各図面を通して付された同じ符号は、同じ部品を示す。
【００２２】
本実施の形態に係る手摺は、図１，図２に示すように、単管足場１０に取り付けられるものであって、互いに対向するように配置された一対の縦材２，２とこれらの縦材２，２の上部間に架け渡される横材３とを有する手摺フレーム１と、各縦材２，２の下部に縦材２に対して周方向に回動可能に設けられたフック４とを備える。
【００２３】
単管足場１０は、図１に示すように、図中前後左右に並列に並べて設けられた複数の縦支柱１１と、図中左右に隣り合う縦支柱１１，１１間に架け渡された横架材１２と、図中前後の縦支柱１１，１１間に架け渡された水平材１３，１３と、対向する水平材１３，１３間に架け渡される足場板１４とを備えて構成されている。また、横架材１２と水平材１３は、それぞれ縦支柱１１にクランプＣを介して連結されている。
【００２４】
なお、図１では、単管足場１０の一部のみを示しており、単管足場１０は、上記構成が上下左右に連続している。
【００２５】
次に、本例の手摺について詳細に説明する。図２に示すように、本例の手摺フレーム１は、互いに対向するように配置され鉛直方向に延びる一対の円筒状の縦材２，２と、縦材２，２の上部間に架け渡されて水平に延びる横材３と、縦材２，２の下部間に架け渡される巾木６と、縦材２，２の中部間に架け渡された中桟５とを備えるとともに、幅方向に伸縮可能に構成されている。
【００２６】
本例の横材３は、図中左側の縦材２の上端に連結される角筒状のケース部３ａと、図中右側の縦材２の上端に連結されるとともに先端側にケース部３ａ内にスライド自在に挿入される挿入部３ｄを有する調整部３ｃとで構成されている。これにより、本例の横材３は、挿入部３ｄをケース部３ａ内で移動させることで、軸方向に伸縮可能になっている。
【００２７】
また、図２に示すように、挿入部３ｄには、挿入部３ｄの軸方向に沿って形成された長孔３ｅが設けられており、ケース部３ａ内に挿入部３ｄが挿入された状態で、ケース部３ａの先端側に固定された２本のガイドピン３ｆ，３ｆがケース部３ａと挿入部３ｄの長孔３ｅを貫通している。これにより、挿入部３ｄのケース部３ａ内での移動を、ガイドピン３ｆ，３ｆによってガイドするとともに、調整部３ｃがケース部３ａから抜けないようになっている。
【００２８】
なお、本例では、挿入部３ｄがケース部３ａ内で傾きにくくするために、ガイドピン３ｆを２本設けているが、ガイドピン３ｆは１本であってもよい。
【００２９】
本例の中桟５は、図２に示すように、図中左側の縦材２の中部に連結される筒状のケース部５ａと、図中右側の縦材２の中部に連結されるとともにケース部５ａ内にスライド自在に挿入されるスライド部５ｂとを備える。また、本例の中桟５には、ケース部５ａの右端と図中左側の縦材２の下端を接続するＬ字状の補強フレーム１５と、縦材２と平行であってケース部５ａと補強フレーム１５を接続する補強材１６が設けられている。
【００３０】
このように、ケース部５ａとスライド部５ｂは、テレスコピック構造を構成しているため、中桟５は、ケース部５ａとスライド部５ｂの軸方向に伸縮可能になっている。
【００３１】
本例の巾木６は、図２に示すように、図中左側の縦材２の下部側にボルト（符示せず）を介して連結された外側巾木７と、図中右側の縦材２の下部側にボルト（符示せず）を介して連結されるとともに当該外側巾木７内にスライド自在に挿入される内側巾木８とを備えて構成される。
【００３２】
具体的には、外側巾木７と内側巾木８は、図３に示すように、矩形板状の巾木本体７ａ（８ａ）と、巾木本体７ａ（８ａ）の上下端からそれぞれ張り出されて先端側が互いに対向する断面Ｌ字状の曲げ部７ｂ，７ｂ（８ｂ，８ｂ）とを有している。そして、内側巾木８は、外側巾木７よりも一回り小さく形成されているため、外側巾木７の曲げ部７ｂ，７ｂ間を巾木本体７ａの長手方向に沿ってスライド自在に移動できる。これにより、本例の巾木６は伸縮可能になっている。
【００３３】
また、本例の巾木本体７ａ（８ａ）には、巾木本体７ａ（８ａ）の長手方向に沿って突出する凸部７ｃ（８ｃ）が設けられており、巾木６の曲げ剛性を高めている。
【００３４】
また、本例の補強フレーム１５には、支持部材としての上下一対の支持金具９，９が取り付けられている。本例の支持金具９は、図３に示すように、補強フレーム１５に固定されるとともに補強フレーム１５と外側巾木７との間に配置されるスペーサ９ａと、スペーサ９ａから延びる断面Ｌ字状の保持片９ｂを備える。そして、各支持金具９，９は、スペーサ９ａと保持片９ｂとで外側巾木７の先端を挟んで支持している。
【００３５】
この際、支持金具９は、外側巾木７の先端を支持しているため、外側巾木７内に挿入されている内側巾木８の先端も同時に支持される。これにより、支持金具９によって外側巾木７の先端と内側巾木８の先端が支持されるため、巾木６がふらつかない。
【００３６】
このように、本例の横材３と、中桟５と、巾木６はそれぞれ伸縮可能になっているため、本例の手摺フレーム１を、幅方向に伸縮できる。
【００３７】
また、図１，図２に示すように、本例の手摺フレーム１の一対の縦材２，２の巾木６が設けられている箇所よりも下方には、それぞれフック４が設けられている。
【００３８】
本例のフック４は、図４（Ａ）−（Ｃ）に示すように、縦材２に固定された上下一対のリング状のストッパ２５，２５の間に配置されるとともに縦材２の外周に周方向に回転自在に取り付けられた円筒状の筒部２１と、筒部２１の外周に設けられたカギ状の取付部２０とを備えて構成されている。なお、ここでいう、縦材２の外周に周方向とは、縦材２の軸回りの方向を指す。
【００３９】
また、上述したように、筒部２１は、ストッパ２５，２５間に配置されているため、縦材２に対して軸方向である上下への移動が阻止されるとともに、筒部２１の回動がガイドされている。
【００４０】
さらに、本例では、筒部２１の回動を阻止可能なロック機構Ｌが設けられており、ロック機構Ｌは、図４（Ａ）−（Ｃ）に示すように、縦材２に対して手摺フレーム１の幅方向に移動可能なＪ字状のロックピン３０を備え、縦材２に開穿された挿入孔２ａと、筒部２１に開穿され挿入孔２ａに対向可能なピン孔２１ａ（２１ｂ）にロックピン３０を抜き差しすることで、筒部２１の回動のロックとその解除ができる。
【００４１】
詳細には、本例のロックピン３０は、図４（Ｂ）に示すように、挿入孔２ａが開穿されている位置から軸方向（図４中下方）に離間した位置で縦材２を手摺フレーム１の幅方向に貫通して縦材２に対してスライド自在な軸部３０ａと、軸部３０ａの先端側に設けられる挿通部３０ｂを備える。
【００４２】
本例の挿通部３０ｂは、軸部３０ａの先端から垂直に立ち上がる垂直部３０ｃと、垂直部３０ｃの反軸部側から軸部３０ａに対して平行に延びるとともに軸部３０ａよりも軸方向長さが短い回り止め軸３０ｄとで構成されている。
【００４３】
また、詳細には図示しないが、軸部３０ａの他端には螺子溝が設けられており、当該螺子溝にナット３１を装着することで、本例の軸部３０ａの他端には、径方向に突出するフランジ部が設けられている。
【００４４】
さらに、図４（Ｂ）に示すように、ナット３１と縦材２との間には、ナット３１を反縦材側に向けて附勢する附勢ばねＳが介装されている。
【００４５】
また、本例のピン孔２１ａ，２１ｂは、筒部２１に対して筒部２１の周方向に９０度の間隔で開穿されている。
【００４６】
この構成によれば、図４（Ｂ）に示すように、ロックピン３０の回り止め軸３０ｄがピン孔２１ａと挿入孔２ａに挿通されている間は、筒部２１の回動が阻止されるため、取付部２０が手摺フレーム１の幅方向に対して垂直な方向である、手摺フレーム１の奥行方向に向いた状態でロックされる。
【００４７】
そして、ロックピン３０を附勢ばねＳに抗して押し込むと、図４（Ｃ）に示すように、附勢ばねＳが縮んで軸部３０ａが図中左方向にスライドして、回り止め軸３０ｄがピン孔２１ａと挿入孔２ａから抜けるため、ロックが解除されて筒部２１が回動可能になる。この状態で、筒部２１をピン孔２１ｂと挿入孔２ａが対向する位置まで回動させて、回り止め軸３０ｄをピン孔２１ｂと挿入孔２ａに挿入すれば、図４（Ｃ）に破線で示すように、取付部２０を手摺フレーム１の幅方向である平面視で横方向に向けることができる。
【００４８】
また、手摺フレーム１の幅方向に向いている取付部２０を手摺フレーム１の奥行方向に向ける場合には、上記した作業と反対の作業を行えばよい。
【００４９】
なお、ロック機構Ｌの構成はこれに限られず、例えば、ロック機構Ｌを単にピン孔２１ａ，２１ｂと挿入孔２ａに挿通可能な棒状のピンとして、ピンを抜き差しすることで筒部２１の回動のロックやその解除をするようにしてもよい。
【００５０】
また、ここでは、図２中左側の縦材２に設けられたフック４の部分を拡大して示した図４に基づいて、フック４について説明したが、一対の縦材２に設けられたフック４は、左右いずれも構成が共通しているため、図２中右側の縦材２に設けられたフック４の説明は省略する。
【００５１】
また、縦材２，２の下端には、それぞれ手摺フレーム１を単管足場１０の縦支柱１１に連結可能な第一連結部材４０と第二連結部材４１が取り付けられている。本例の第一連結部材４０と第二連結部材４１は、図５，図６に示すように、縦支柱１１の挿入を許容する凹部を有するブラケット４０ａ（４１ａ）と、ブラケット４０ａ（４１ａ）を縦材２に接続する接続部４０ｂ（４１ｂ）を有している。また、図５に示すように、第一連結部材４０の凹部の開口は、手摺フレーム１の幅方向の外側である図中左側に向くように形成され、図６に示すように、第二連結部材４１の凹部の開口は、手摺フレーム１の奥行方向の図中上側に向くように形成されている。
【００５２】
そして、各ブラケット４０ａ，４１ａの先端にはそれぞれ楔４２，４３を挿入可能な楔孔（図示せず）が設けられており、各ブラケット４０ａ，４１ａの内側にそれぞれ縦支柱１１を挿入した状態で、各楔孔に楔４２，４３を打ち込むことで、手摺フレーム１を単管足場１０の縦支柱１１に連結できるようになっている。
【００５３】
続いて、手摺フレーム１の単管足場１０への取付方法を説明する。
【００５４】
まず、図１に示すように、手摺を取り付けようとしている層よりも下層の足場板１４上に立っている作業者Ｐが、隣り合う縦支柱１１，１１間の距離よりも手摺フレーム１の幅を収縮させた状態で、手摺フレーム１を斜めに傾けつつ、左右のフック４，４を横架材１２に引っ掛けて手摺フレーム１を単管足場１０の横架材１２に手摺フレーム１を支持させつつ、開口が手摺フレーム１の奥行方向に向くブラケット４１ａを図１中右側の縦支柱１１に嵌め込む。その後、手摺フレーム１を垂直にして、手摺フレーム１の幅を伸長させると、開口が手摺フレーム１の幅方向に向くブラケット４０ａが図１中左側の縦支柱１１に嵌め込まれる。すると、第一連結部材４０のブラケット４０ａによって手摺フレーム１の倒れが防止されるため、手摺フレーム１を単管足場１０に仮止めできる。
【００５５】
最後に、各ブラケット４０ａ，４１ａの先端側に設けられた楔孔に楔４２，４３を打ち込めば、手摺フレーム１を単管足場１０に強固に取り付けできる。この際、手摺フレーム１は、単管足場１０に仮止めされているため、作業者Ｐが一人であっても楔４２，４３を打ち込む作業を容易に行える。
【００５６】
このように、本例の手摺によれば、手摺フレーム１が幅方向に伸縮可能であるため、縦支柱１１間の距離が一定でない単管足場１０においても１つの手摺で対応できるとともに、作業者Ｐが下層の仮設足場から上層の仮設足場に手摺を先行して取り付けられる先行手摺として利用できるため、仮設足場の最上層に常に手摺があるようにでき、作業者Ｐの安全性を確保できる。
【００５７】
さらに、本例では、フック４を利用して横架材１２に手摺フレーム１を支持させることができるので、作業者Ｐが手摺フレーム１の全荷重を支えたままブラケット４０ａを縦支柱１１に嵌め込む必要がなく、作業者Ｐの負担が軽減する。
【００５８】
また、上述したように、本例の手摺においては、フック４が縦材２に対して周方向に回動可能に取り付けられている。
【００５９】
この構成によると、手摺を単管足場１０に取り付ける際には、フック４を手摺フレーム１の幅方向に対して垂直方向である手摺フレーム１の奥行方向に向けて横架材１２に引っ掛けられ、手摺を取り外して保管する際には、フック４を手摺フレーム１の幅方向に倒せば、手摺を積み重ねて収納してもフック４が他の手摺に干渉しない。
【００６０】
また、本例の手摺においては、フック４が、縦材２に対して周方向に回動自在に設けられた筒部２１と、筒部２１の外周に設けられたカギ状の取付部２０とを備えるとともに、筒部２１の回動を阻止可能なロック機構Ｌを設けている。
【００６１】
この構成によると、フック４の取付部２０の向きを任意の向きで固定できるため、手摺フレーム１を単管足場１０に取り付ける際にフック４が揺動しない。
【００６２】
また、本例のロック機構Ｌは、縦材２に開穿された挿入孔２ａと、挿入孔２ａと対向可能に開穿されたピン孔２１ａ（２１ｂ）と、ピン孔２１ａ（２１ｂ）と挿入孔２ａが対向した状態で挿通されることで筒部２１の回動を阻止するロックピン３０とを備え、ロックピン３０は、挿入孔２ａが開穿されている位置から軸方向に離間した位置で縦材２を手摺フレーム１の幅方向に貫通して縦材２に対してスライド自在な軸部３０ａと、軸部３０ａの先端側に設けられピン孔２１ａ（２１ｂ）と挿入孔２ａに挿通可能な挿通部３０ｂと、軸部３０ａの基端側に設けられたフランジ部としてのナット３１とを有し、ナット３１と縦材２との間にナット３１を反縦材方向に附勢する附勢ばねＳが介装されている。
【００６３】
この構成によると、ロックピン３０がピン孔２１ａ，２１ｂと挿入孔２ａに挿通されて、筒部２１の回動がロックされている間は、附勢ばねＳによってロックピン３０の抜け止めがされる。そして、フック４を回転させて取付部２０の向きを変える場合には、ロックピン３０を附勢ばねＳに抗して押し込めば容易にロックを解除できる。
【００６４】
さらに、ロックピン３０が縦材２を手摺フレーム１の幅方向に貫通しているため、手摺を保管する際に複数の手摺フレーム１を重ねたとしても、他の手摺にロックピンが干渉しないようになっている。
【００６５】
また、本例のピン孔２１ａ，２１ｂは、筒部２１に対して筒部２１の周方向に９０度の間隔で２つ並べて開穿されている。この構成によると、縦材２に開穿されている挿入孔２ａと対向するピン孔２１ａ，２１ｂを切り換えるだけで、フック４の取付部２０の向きをフック４を横架材１２に引っ掛け可能な取付位置と、手摺を重ねて収納する際に取付部２０が他の手摺に干渉しない収納位置との間で切り換えできる。
【００６６】
ただし、２つのピン孔２１ａ，２１ｂの間隔は、手摺を重ねて収納する際に、他の手摺に干渉しない位置に取付部２０を向けられるようになっていれば、９０度に限定されるものではない。
【００６７】
また、本例の手摺では、フランジ部が、ロックピン３０の他端部に形成された螺子溝に装着されたナット３１で形成されている。この構成によると、ナット３１のロックピン３０への取付位置を調整することで附勢ばねＳの附勢力を調整できる。
【００６８】
ただし、フランジ部は、附勢ばねＳのばねストッパとして機能すればよく、ナット３１で形成されなくてもよい。
【００６９】
また、本例の手摺では、縦材２に上下一対のストッパ２５，２５を設け、ストッパ２５，２５間に筒部２１を配置している。この構成によると、ストッパ２５，２５によって、筒部２１が縦材２に対して上下に移動することを阻止するとともに筒部２１の回動をガイドできる。
【００７０】
なお、本例では、ストッパ２５は、リング状に形成されているが、筒部２１が上下動するのを防止するものであれば、ストッパ２５の形状は一切限定されない。
【００７１】
また、本例の手摺は、一対の縦材２，２の下端にそれぞれ取り付けられ、手摺フレーム１を縦支柱１１に楔４２，４３を介して連結可能な第一連結部材４０と第二連結部材４１を備え、第一連結部材４０と第二連結部材４１は、縦支柱１１の挿入を許容する凹部を有し、第一連結部材４０または第二連結部材４１のいずれか一方の凹部の開口は手摺フレーム１の幅方向に向くように形成され、第一連結部材４０または第二連結部材４１のいずれか他方の凹部の開口は手摺フレーム１の奥行方向に向くように形成されている。
【００７２】
仮に、第一連結部材４０と第二連結部材４１の凹部の開口側がいずれも手摺フレーム１の幅方向に向いている場合には、手摺フレーム１を単管足場１０に取り付ける際に、左右のフック４を横架材１２に引っ掛けてから、手摺フレーム１を左右両方に伸ばして、左右の凹部をそれぞれ縦支柱に嵌め込むことになる。これに対して、本例の手摺では、フック４を横架材１２に引っ掛けるのと同時にブラケット４１ａを縦支柱１１に嵌め込みできるので、ブラケットの開口をいずれも手摺フレーム１の幅方向に向ける場合に比べて作業の手間が少なく、作業時間を短縮できる。
【００７３】
また、仮に、第一連結部材４０と第二連結部材４１の凹部の開口側がいずれも手摺フレーム１の奥行方向に向いている場合には、手摺フレーム１を斜めに傾けたまま、両ブラケットの凹部がそれぞれ縦支柱１１と対向するまで手摺フレーム１を伸長させてから凹部を縦支柱１１に嵌め込む必要がある。そのため、本例の手摺に比べて、常に手摺フレーム１を斜めに維持しながら、各ブラケットが縦支柱１１に対向するまで手摺フレーム１を伸長させる手間が余計にかかる。
【００７４】
したがって、本例の構成では、第一連結部材４０と第二連結部材４１の凹部の開口がいずれも手摺フレーム１の幅方向あるいは手摺フレーム１の奥行方向に向いている場合に比べて、取付作業の手間が少なく、作業時間を短縮できる。
【００７５】
なお、本例では、第一連結部材４０のブラケット４０ａの凹部の開口が手摺フレーム１の幅方向に向くように形成され、第二連結部材４１のブラケット４１ａの凹部の開口が手摺フレーム１の奥行方向に向くように形成されているが、これらが反対であってもよい。
【００７６】
また、本例の手摺では、一対の縦材２，２の下部間に架け渡されるとともに、矩形であって長手方向に伸縮可能な巾木６と、縦材２，２の中部側間に架け渡されるとともに、軸方向に伸縮可能な中桟５と、中桟５と縦材２の一方側の下端を接続する補強フレーム１５とを備え、補強フレーム１５が、巾木６を支持する支持部材としての支持金具９を有している。この構成によると、長手方向に伸縮可能な巾木６を構成する外側巾木７と内側巾木８の先端側を、補強フレーム１５に取り付けられた支持金具９，９を介して支持できるため、巾木６がふらつかない。
【００７７】
さらに、上記構成では、補強フレーム１５は、他方側の縦材２とは連結されていないため、伸縮させる必要がない。これにより、手摺フレーム１の伸縮箇所を減らすことができ、伸縮時に生じる摩擦が少なくなる。したがって、この構成によると、手摺フレーム１の伸縮がスムーズになる。
【００７８】
以上、本考案の好ましい実施の形態を詳細に説明したが、特許請求の範囲から逸脱なく改造、変形及び変更ができるのは当然である。
【符号の説明】
【００７９】
１・・・手摺フレーム、２・・・縦材、２ａ・・・挿入孔、３・・・横材、４・・・フック、５・・・中桟、６・・・巾木、９・・・支持金具（支持部材）、１０・・・単管足場、１１・・・縦支柱、１２・・・横架材、１５・・・補強フレーム、２０・・・取付部、２１・・・筒部、２１ａ，２１ｂ・・・ピン孔、２５・・・ストッパ、３０・・・ロックピン、３０ａ・・・軸部、３０ｂ・・・挿通部、３１・・・ナット（フランジ部）、４０・・・第一連結部材、４０ａ，４１ａ・・・ブラケット、４１・・・第二連結部材、４２，４３・・・楔、Ｌ・・・ロック機構、Ｓ・・・附勢ばね
【図１】
0003209688.tif 000003
【図２】
0003209688.tif 000004
【図３】
0003209688.tif 000005
【図４】
0003209688.tif 000006
【図５】
0003209688.tif 000007
【図６】
0003209688.tif 000008
【手続補正書】
【提出日】平成29年1月31日(2017.1.31)
【手続補正１】
【補正対象書類名】実用新案登録請求の範囲
【補正対象項目名】全文
【補正方法】変更
【補正の内容】
【実用新案登録請求の範囲】
【請求項１】
並列に並べて設けられた複数の縦支柱と、隣り合う前記縦支柱間に架け渡された横架材とを備える単管足場に取り付けられる手摺において、
互いに対向するように配置された一対の縦材と、前記一対の縦材の上部間に架け渡されるとともに軸方向に伸縮可能な横材とを有する手摺フレームと、
前記一対の縦材の下部にそれぞれ設けられ前記横架材に前記手摺フレームを取付可能なフックとを備え、
前記フックが前記縦材に対して周方向に回動可能に取り付けられている
ことを特徴とする手摺。
【請求項２】
前記フックは、前記縦材に対して周方向に回動自在に設けられた筒部と、前記筒部の外周に設けられたカギ状の取付部とを備え、
前記筒部の回動を阻止可能なロック機構を設けた
ことを特徴とする請求項１に記載の手摺。
【請求項３】
前記ロック機構が、前記縦材に開穿された挿入孔と、前記挿入孔と対向可能に開穿されたピン孔と、前記ピン孔と前記挿入孔が対向した状態で挿通されることで前記筒部の回動を阻止するロックピンとを備え、
前記ロックピンは、前記挿入孔が開穿されている位置から軸方向に離間した位置で前記縦材を前記手摺フレームの幅方向に貫通して前記縦材に対してスライド自在な軸部と、前記軸部の先端側に設けられ前記ピン孔と前記挿入孔に挿通可能な挿通部と、前記軸部の基端側に設けられたフランジ部とを有し、
前記フランジ部と前記縦材との間に前記フランジ部を反縦材方向に附勢する附勢ばねが介装される
ことを特徴とする請求項２に記載の手摺。
【請求項４】
前記ピン孔は、前記筒部の周方向に９０度の間隔で２つ並べて開穿されている
ことを特徴とする請求項３に記載の手摺。
【請求項５】
前記フランジ部が、前記ロックピンの他端部に形成された螺子溝に装着されたナットで形成される
ことを特徴とする請求項３または４に記載の手摺。
【請求項６】
前記縦材に上下一対のストッパを設け、前記ストッパ間に前記筒部を配置する
ことを特徴とする請求項２から５のいずれか一項に記載の手摺。
【請求項７】
前記一対の縦材の下端にそれぞれ取り付けられ、前記手摺フレームを前記縦支柱に楔を介して連結可能な第一連結部材と第二連結部材を備え、
前記第一連結部材と前記第二連結部材は、前記縦支柱の挿入を許容する凹部を有し、
前記第一連結部材または前記第二連結部材のいずれか一方の凹部の開口は前記手摺フレームの幅方向に向くように形成され、
前記第一連結部材または前記第二連結部材のいずれか他方の凹部の開口は前記手摺フレームの奥行方向に向くように形成される
ことを特徴とする請求項１から６のいずれか一項に記載の手摺。
【請求項８】
前記一対の縦材の下部間に架け渡されるとともに、矩形であって長手方向に伸縮可能な巾木と、
前記縦材の中部側間に架け渡されるとともに、軸方向に伸縮可能な中桟と、
前記中桟と前記縦材の一方側の下端を接続する補強フレームとを備え、
前記補強フレームが、前記巾木を支持する支持部材を有する
ことを特徴とする請求項１から７のいずれか一項に記載の手摺。